(57)【要約】【課題】光ディスク記録装置において、光ディスク内に格納されたデータの消去後に、ユーザがデータ消去前のデータを再度用いることができるようにする。【解決手段】データ消去前に、データ読み出し手段は、光ディスクのファイル管理情報領域Ａから、ユーザデータを管理するファイル管理情報を読み出し、制御手段は、当該情報を外部記憶装置及び／又はＲＡＭに書き込んで退避させる。当該情報の退避後、データ記録手段は、ファイル管理情報を消去するためのデータをファイル管理情報領域Ａに記録する。データ消去取消指示手段の信号に応じ、データ消去後に、制御手段は、退避させたファイル管理情報を外部記憶装置及び／又はＲＡＭから読み出す。データ記録手段は当該情報をファイル管理情報領域Ａに復帰させる。このため、データ消去処理後であっても、ユーザが当該情報を用いて、データ消去前のユーザデータを再び利用できる。【選択図】図２
2007080342.tif 000002
【特許請求の範囲】
【請求項１】
光ディスクにデータを記録するデータ記録手段と、
ユーザデータが格納されたユーザデータ領域と、前記ユーザデータを管理するファイル管理情報が格納されたファイル管理情報領域とを有する光ディスクに記録されたデータを読み出すデータ読み出し手段と、
ユーザの操作に基づき、前記データ記録手段に、データの消去を指示するデータ消去実行指示手段と、
装置全体を制御する制御手段と、を備えた光ディスク記録装置において、
ユーザの操作に基づき、前記データ記録手段に、データ消去の指示の取消を指示するデータ消去取消指示手段と、
外部記憶装置及び／又はＲＡＭ（Ｒａｎｄｏｍ  Ａｃｃｅｓｓ  Ｍｅｍｏｒｙ）が接続される接続手段と、
前記データ読み出し手段により読み出されたデータから、ユーザが利用可能なファイル管理情報を選び出す情報選出手段と、
同一のユーザデータを管理する分割されたファイル管理情報を結合して最適化するデータ最適化手段と、を備え、
前記データ消去実行指示手段の信号に応じて、データ消去前に、
前記データ読み出し手段は前記ファイル管理情報領域からデータを読み出すと共に、前記情報選出手段は前記により読み出されたデータからファイル管理情報を選び出し、前記データ最適化手段は前記により選び出されたファイル管理情報を最適化し、前記制御手段は、前記接続手段を介して前記外部記憶装置及び／又は前記ＲＡＭに、前記ファイル管理情報領域の位置情報を有するヘッダと、前記により最適化されたファイル管理情報とを書き込んで前記ファイル管理情報を退避させ、
前記ファイル管理情報の退避後に、前記データ記録手段は、前記ファイル管理情報領域内に、前記ファイル管理情報を消去するためのデータを記録し、
前記データ消去取消指示手段の信号に応じて、データ消去後に、
前記制御手段は、前記接続手段を介して前記外部記憶装置及び／又はＲＡＭから、前記により退避されたファイル管理情報を読み出すと共に、前記データ記録手段は、前記ファイル管理情報領域に前記により読み出されたファイル管理情報を書き込んで復帰させ、
データ消去後に、ユーザがデータ消去前のデータを用いることができるようにしたことを特徴とする光ディスク記録装置。
【請求項２】
光ディスクにデータを記録するデータ記録手段と、
ユーザデータが格納されたユーザデータ領域と、前記ユーザデータを管理するファイル管理情報が格納されたファイル管理情報領域とを有する光ディスクに記録されたデータを読み出すデータ読み出し手段と、
ユーザの操作に基づき、前記データ記録手段に、データの消去を指示するデータ消去実行指示手段と、
装置全体を制御する制御手段と、を備えた光ディスク記録装置において、
ユーザの操作に基づき、前記データ記録手段に、データ消去の指示の取消を指示するデータ消去取消指示手段と、
外部記憶装置及び／又はＲＡＭ（Ｒａｎｄｏｍ  Ａｃｃｅｓｓ  Ｍｅｍｏｒｙ）が接続される接続手段と、を備え、
前記データ消去実行指示手段の信号に応じて、データ消去前に、
前記データ読み出し手段は前記ファイル管理情報領域からデータを読み出すと共に、前記制御手段は、前記接続手段を介して前記外部記憶装置及び／又はＲＡＭに、前記ファイル管理情報領域の位置情報を有するヘッダと、前記により読み出されたデータとを書き込んで前記データを退避させ、
前記データの退避後に、前記データ記録手段は、前記ファイル管理情報領域内に、前記ファイル管理情報を消去するためのデータを記録し、
前記データ消去取消指示手段の信号に応じて、データ消去後に、
前記制御手段は、前記接続手段を介して前記外部記憶装置及び／又は前記ＲＡＭから、前記により退避されたデータを読み出すと共に、前記データ記録手段は、前記ファイル管理情報領域に前記により読み出されたデータを書き込んで復帰させ、
データ消去後に、ユーザがデータ消去前のデータを用いることができるようにしたことを特徴とする光ディスク記録装置。
【請求項３】
前記データ読み出し手段により読み出されたデータから、ユーザが利用可能なファイル管理情報を選び出す情報選出手段を備え、
前記データ消去実行指示手段の信号に応じて、データ消去前に、
前記情報選出手段は、前記データ読み出し手段により読み出されたデータからファイル管理情報を選び出し、前記制御手段は、前記接続手段を介して前記外部記憶装置及び／又はＲＡＭに、前記により選び出されたファイル管理情報とを書き込んで前記ファイル管理情報を退避させることを特徴とする請求項２に記載の光ディスク記録装置。
【発明の詳細な説明】
【技術分野】
【０００１】
本発明は、光ディスクのデータ消去機能を有する光ディスク記録装置に関する。
【背景技術】
【０００２】
従来から、光ディスクを再生し、データを光ディスクに記録することができると共に、光ディスクのデータを消去できる光ディスク記録装置が知られている。データを記録することができる光ディスクには、一度だけ書き込みが可能なライトワンス型光ディスクと、一定回数まで何度でも書き換え可能な書き換え型光ディスクがある。ライトワンス型光ディスクには、例えば、ＣＤ−Ｒ（ＣＤ  Ｒｅｃｏｒｄａｂｌｅ）、ＤＶＤ−Ｒ（ＤＶＤ  Ｒｅｃｏｒｄａｂｌｅ）、ＤＶＤ＋Ｒ（ＤＶＤ  Ｒｅｃｏｒｄａｂｌｅ）がある。書き換え型光ディスクには、例えば、ＣＤ−ＲＷ（ＣＤ  Ｒｅｗｒｉｔａｂｌｅ）、ＤＶＤ−ＲＷ（ＤＶＤ  Ｒｅｗｒｉｔａｂｌｅ）、ＤＶＤ＋ＲＷ（ＤＶＤ  Ｒｅｗｒｉｔａｂｌｅ）、ＤＶＤ−ＲＡＭ（ＤＶＤ  Ｒａｎｄｏｍ  Ａｃｃｅｓｓ  Ｍｅｍｏｒｙ）がある。
【０００３】
書き換え型光ディスクの場合、書き込まれたデータに新たなデータを上書きしたり、既に記録されている情報を消去したりできる。ユーザが光ディスクに記録された情報を消去する場合、光ディスクが挿入された光ディスク記録装置や当該装置を搭載するパソコンに接続されたモニタに、消去の実行を確認する画面が表示される。ユーザが消去の実行を選択すると、光ディスクに記録された情報は消去され、ユーザが消去された情報を再度利用することができなかった。そのため、ユーザが誤ってデータの消去を行った場合や、ユーザ以外の者が故意又は過失によりデータを消去した場合に、ユーザが消去されたデータを再び用いることができなかった。
【０００４】
そこで、誤ってデータが消去され、データが利用できなくなることを防ぐため、記録媒体上に記録された情報を、所望しない記録又は消去から保護するための記録防止情報を格納する記録媒体が知られている（例えば、特許文献１参照）。また、光ディスクへのデータの書き込みや消去を制御するため、光ディスクが、データ書き込み禁止状態と、データ書き込み許可状態のいずれの状態にあるかを示す書込制御情報が書き込まれ、当該情報に基づいて、データの書き込みを制御する記録媒体が知られている（例えば、特許文献２参照）。また、ユーザ以外の者が悪意を持ってデータを消去して、ユーザがデータを利用できなくなること等を防止するため、光ディスクにデータを書き込む際、光ディスク装置に与えられた固有の識別ＩＤに基づいて、本来データが格納されてアクセスされるべき位置からずらした位置に、データを書き込む光ディスク装置が知られている（例えば、特許文献３参照）。また、光ディスクへのデータ書き込み処理中に電源遮断等が行われて、データ書き込み処理が中断し、データ書き込み処理に必要な各種データが消失した場合、ホストシステムに対して、書き込むデータを再送させると共に、データ書き込み再開時に、データ書き込み中断位置まで擬似的なデータ書き込み処理を行い、消失した各種データを復元する光ディスク装置が知られている（例えば、特許文献４参照）。また、インストール管理データがＲＯＭとして形成され又は記録領域に記録されている光ディスクが知られている。さらに、不正にコピーされたデータを消去するために、光ディスクにおいて、インストールプログラムを記録するＲＯＭ領域に対して強制的に消去作業を行うアプリケーションプログラムのインストール方法が知られている（例えば、特許文献５参照）。  
【特許文献１】特開２００２−１９７７８９号公報
【特許文献２】特開２００３−２７２２９２号公報
【特許文献３】特開２００４−２１３７４８号公報
【特許文献４】特開２００３−０５９０５１号公報
【特許文献５】特開２００２−２４４７５３号公報
【発明の開示】
【発明が解決しようとする課題】
【０００５】
しかしながら、特許文献１に記載の記録媒体では、望まないデータの消去を防止することができたが、データ消去後に、消去前と同じようにユーザがデータを用いることはできなかった。また、特許文献２に記載の記録媒体では、制御情報に基づいて、光ディスクのデータの消去を制御することができたが、ユーザが記録媒体を誤操作したことによりデータを消去した場合、消去したデータを再び用いることができなかった。また、特許文献３に記載の光ディスク装置によりデータを書き込まれた光ディスクでは、データが本来の位置からずれた位置に格納されているため、当該装置以外の装置のＯＳ（Ｏｐｅｒａｔｉｎｇ  Ｓｙｓｔｅｍ）では、データを認識することができなかった。このため、悪意ある第三者が他の装置でデータを消去することができなかった。しかし、当該装置では、ユーザが誤って光ディスクのデータを消去した場合、消去したデータを再度利用することができなかった。また、特許文献４に記載の光ディスク装置では、データ書き込み処理時に当該処理が中断された場合に、中断により消失した各種データが復元されるが、悪意のある第三者が光ディスク内のユーザデータを消去した場合、消去したデータを再び用いることできなかった。また、特許文献５に記載のインストール方法では、データの不正なインストールが防止されると共に、不正にコピーされた光ディスクのデータが消去されるが、ユーザが光ディスクに格納したデータを消去する処理を行った場合、当該処理後に当該データを再度利用することができなかった。
【０００６】
本発明は、上記課題を解決するためになされたものであり、光ディスクのデータを消去した後に、ユーザがデータ消去前のデータを再度用いることができる光ディスク記録装置を提供することを目的とする。
【課題を解決するための手段】
【０００７】
上記目的を達成するために請求項１の発明は、光ディスクにデータを記録するデータ記録手段と、ユーザデータが格納されたユーザデータ領域と、前記ユーザデータを管理するファイル管理情報が格納されたファイル管理情報領域とを有する光ディスクに記録されたデータを読み出すデータ読み出し手段と、ユーザの操作に基づき、前記データ記録手段に、データの消去を指示するデータ消去実行指示手段と、装置全体を制御する制御手段と、を備えた光ディスク記録装置において、ユーザの操作に基づき、前記データ記録手段に、データ消去の指示の取消を指示するデータ消去取消指示手段と、外部記憶装置及び／又はＲＡＭ（Ｒａｎｄｏｍ  Ａｃｃｅｓｓ  Ｍｅｍｏｒｙ）が接続される接続手段と、前記データ読み出し手段により読み出されたデータから、ユーザが利用可能なファイル管理情報を選び出す情報選出手段と、同一のユーザデータを管理する分割されたファイル管理情報を結合して最適化するデータ最適化手段と、を備え、前記データ消去実行指示手段の信号に応じて、データ消去前に、前記データ読み出し手段は前記ファイル管理情報領域からデータを読み出すと共に、前記情報選出手段は前記により読み出されたデータからファイル管理情報を選び出し、前記データ最適化手段は前記により選び出されたファイル管理情報を最適化し、前記制御手段は、前記接続手段を介して前記外部記憶装置及び／又は前記ＲＡＭに、前記ファイル管理情報領域の位置情報を有するヘッダと、前記により最適化されたファイル管理情報とを書き込んで前記ファイル管理情報を退避させ、前記ファイル管理情報の退避後に、前記データ記録手段は、前記ファイル管理情報領域内に、前記ファイル管理情報を消去するためのデータを記録し、前記データ消去取消指示手段の信号に応じて、データ消去後に、前記制御手段は、前記接続手段を介して前記外部記憶装置及び／又はＲＡＭから、前記により退避されたファイル管理情報を読み出すと共に、前記データ記録手段は、前記ファイル管理情報領域に前記により読み出されたファイル管理情報を書き込んで復帰させ、データ消去後に、ユーザがデータ消去前のデータを用いることができるようにしたことを特徴とする。
【０００８】
請求項２の発明は、光ディスクにデータを記録するデータ記録手段と、ユーザデータが格納されたユーザデータ領域と、前記ユーザデータを管理するファイル管理情報が格納されたファイル管理情報領域とを有する光ディスクに記録されたデータを読み出すデータ読み出し手段と、ユーザの操作に基づき、前記データ記録手段に、データの消去を指示するデータ消去実行指示手段と、装置全体を制御する制御手段と、を備えた光ディスク記録装置において、ユーザの操作に基づき、前記データ記録手段に、データ消去の指示の取消を指示するデータ消去取消指示手段と、外部記憶装置及び／又はＲＡＭ（Ｒａｎｄｏｍ  Ａｃｃｅｓｓ  Ｍｅｍｏｒｙ）が接続される接続手段と、を備え、前記データ消去実行指示手段の信号に応じて、データ消去前に、前記データ読み出し手段は前記ファイル管理情報領域からデータを読み出すと共に、前記制御手段は、前記接続手段を介して前記外部記憶装置及び／又はＲＡＭに、前記ファイル管理情報領域の位置情報を有するヘッダと、前記により読み出されたデータとを書き込んで前記データを退避させ、前記データの退避後に、前記データ記録手段は、前記ファイル管理情報領域内に、前記ファイル管理情報を消去するためのデータを記録し、前記データ消去取消指示手段の信号に応じて、データ消去後に、前記制御手段は、前記接続手段を介して前記外部記憶装置及び／又は前記ＲＡＭから、前記により退避されたデータを読み出すと共に、前記データ記録手段は、前記ファイル管理情報領域に前記により読み出されたデータを書き込んで復帰させ、データ消去後に、ユーザがデータ消去前のデータを用いることができるようにしたことを特徴とする。
【０００９】
請求項３の発明は、請求項２に記載の光ディスク記録装置において、前記データ読み出し手段により読み出されたデータから、ユーザが利用可能なファイル管理情報を選び出す情報選出手段を備え、前記データ消去実行指示手段の信号に応じて、データ消去前に、前記情報選出手段は、前記データ読み出し手段により読み出されたデータからファイル管理情報を選び出し、前記制御手段は、前記接続手段を介して前記外部記憶装置及び／又はＲＡＭに、前記により選び出されたファイル管理情報とを書き込んで前記ファイル管理情報を退避させることを特徴とする。
【発明の効果】
【００１０】
以上のように、請求項１の発明によれば、データの消去前に、データ読み出し手段はファイル管理情報領域から、ユーザデータを管理するファイル管理情報を読み出す。制御手段は、接続手段を介して外部記憶装置及び／又はＲＡＭにファイル管理情報を記録して退避させる。ファイル管理情報の退避後に、データ記録手段はファイル管理情報領域のデータを消去する。データ消去取消指示手段の信号に応じて、データ消去後に、制御手段は、接続手段を介して外部記憶装置及び／又はＲＡＭからファイル管理情報を読み出す。データ記録手段はファイル管理情報領域にファイル管理情報を記録して復帰させる。このため、ユーザが誤ってデータの消去を光ディスク記録装置に指示し、光ディスクのデータが消去された場合や、悪意を持った者がデータを消去するために光ディスク装置を操作し、光ディスクのデータを消去した場合に、データの消去の指示を取り消すために光ディスク記録装置を操作することにより、ユーザは消去前のデータを再び用いることができる。また、ファイル管理情報を退避させるために、光ディスクではなく、外部記憶装置及び／又はＲＡＭを用いることより、データへのアクセス時間の短縮を図ることができる。
【００１１】
情報選出手段は、データの消去前に、データ読み出し手段によりファイル管理情報領域から読み出されたデータの中から、ユーザが利用可能なファイル管理情報を選び出す。このため、ユーザデータを管理するファイル管理情報を抜き出すことができる。また、上書きや消去により利用不可能となったファイル管理情報や、空き領域の情報を退避させないため、退避データのサイズを小さくすることができる。
【００１２】
データ最適化手段は、データ消去実行前に選び出されたファイル管理情報のうち、同一のユーザデータを管理する分割されたファイル管理情報を結合する。このため、データ消去後であってファイル管理情報の復帰後に、分割して配置されたファイル管理情報のアドレスへ転々とアクセスすることがなくなり、ファイル管理情報へのアクセス時間を短縮することができる。
【００１３】
請求項２の発明によれば、データの消去前に、データ読み出し手段はファイル管理情報領域から、ファイル管理情報を含むデータを読み出す。制御手段は、接続手段を介して外部記憶装置及び／又はＲＡＭに当該データを記録して退避させる。当該データの退避後に、データ記録手段はファイル管理情報領域のデータを消去する。データ消去取消指示手段の信号に応じて、データ消去後に、制御手段は、接続手段を介して外部記憶装置及び／又はＲＡＭから、退避されたデータを読み出す。データ記録手段はファイル管理情報領域に当該データを記録して復帰させる。このため、データ消去後に、データの消去の指示を取り消すために光ディスク記録装置を操作することにより、ユーザは消去前のデータを再び用いることができる。また、ファイル管理情報を退避させるために、光ディスクではなく、外部記憶装置及び／又はＲＡＭを用いることより、データへのアクセス時間の短縮を図ることができる。
【００１４】
請求項３の発明によれば、データの消去前に、情報選出手段は、データ読み出し手段によりファイル管理情報領域から読み出されたデータの中から、ユーザが利用可能なファイル管理情報を選び出す。このため、ユーザが利用できるファイル管理情報を抜き出すことができ、利用不可能となったファイル管理情報や空き領域のデータを退避させないため、退避データのサイズを小さくすることができる。
【発明を実施するための最良の形態】
【００１５】
本発明の第１の実施の形態による光ディスク記録装置について図１乃至図３を参照して説明する。本発明の第１の実施の形態による光ディスクは、例えばＤＶＤ＋ＲＷであり、光ディスク記録装置は、例えば映像、音楽、音声等のデータを記録及び／又は再生するＤＶＤレコーダである。
【００１６】
図１は、光ディスク記録装置の構成を示している。光ディスク記録装置１は、光ディスク２にデータを記録したり、光ディスク２からデータを読み出したりするもので、光ディスク記録装置１を制御するためのＣＰＵ等からなる制御部３（制御手段）と、ユーザが制御部３へ指示を行うために操作するリモコン４及び操作部５と、データの記録及び／又は読み出しを行う光ヘッド６とを備え、さらに、ユーザに操作のためのメニュー画面を示すモニタ７と、接続部８を介してデータ転送を行うＲＡＭ９とが接続される。
【００１７】
光ディスク２は、ディスク挿入部（不図示）に挿入され、スピンドルモータ１１に装着される。スピンドルモータ１１は、制御部３により回転駆動され、装着された光ディスク２を回転させる。移動モータ１２は、リニアモータから成り、光ヘッド６を光ディスク２上でその半径方向に移動させる。
【００１８】
光ヘッド６は、光ディスク２にピットを形成することにより、光ディスク２に情報を記録し、また、光ディスク２に形成されているピットを検出することにより、光ディスク２に記録されている情報を読み取るものである。光ヘッド６は、半導体レーザ６１、コリメートレンズ６２、ビームスプリッタ６３、対物レンズ６４、集光レンズ６５、及び受光素子６６を備えている。
【００１９】
半導体レーザ６１は、レーザ駆動部１３により駆動されて光を出射する。半導体レーザ６１から出射された光は、コリメートレンズ６２、ビームスプリッタ６３、及び対物レンズ６４を介して光ディスク２上に集光照射される。また、光ディスク２で反射された光は、対物レンズ６４、ビームスプリッタ６３、集光レンズ６５を介して、受光素子６６上に集光される。対物レンズ６４は、レンズホルダ６７に保持されており、サーボ制御部１４により駆動制御されるフォーカシングコイル６８及びトラッキングコイル６９の磁気作用により、光ディスク２面と垂直な方向及び光ディスク２の半径方向に移動される。この対物レンズ６４の移動により、半導体レーザ６１から出射されて光ディスク２上に集光される光の集光点の位置及び集光スポット径が調整される。受光素子６６は、受光面が複数の領域に分割されており、受光面毎に受光強度に応じた電気信号を出力する。
【００２０】
このような構成の光ヘッド６は、半導体レーザ６１から出射される光を光ディスク２に照射して、光ディスク２の記録層を変質させることにより、光ディスク２にピットを形成する。記録層の変質した箇所では、光の反射率が変化する。光ヘッド６は、半導体レーザ６１から出射される光を光ディスク２に照射して、受光素子６６が光ディスク２からの反射光を受光することにより、光ディスク２の記録層に形成されているピットを検出する。ピットを検出する際には、光ディスク２の記録層が変質しないように、半導体レーザ６１から出射する光の強度が弱められる。
【００２１】
レーザ駆動部１３は、制御部３からの信号に基づき、半導体レーザ６１の発光タイミングや発光強度を制御する。ＲＦ信号処理部１５は、受光素子６６からの出力信号に基づいて、ＲＦ信号（反射強度信号）、フォーカシングエラー信号、及びトラッキングエラー信号を生成し出力する。サーボ制御部１４は、ＲＦ信号処理部１５からのフォーカシングエラー信号及びトラッキングエラー信号に基づいて、フォーカシングコイル６８及びトラッキングコイル６９を駆動し、これにより、対物レンズ６４を移動させて、光ディスク２上に照射される半導体レーザ６１からの光の集光点の位置を制御する。
【００２２】
放送信号受信部１６は、制御部３からの信号に基づき、受信周波数が放送局から配信されるテレビ放送信号の周波数に同調されることにより、アンテナ１６ａを介してテレビ放送信号を受信する。受信信号処理部１７は、制御部３からの信号に応じ、放送信号受信部１６で受信したテレビ放送信号を復調処理して映像・音声信号を生成する。信号入力部１８は制御部３からの信号に基づいて動作する。信号入力部１８には、信号入力端子１８ａを介してビデオカメラやデジタルカメラ、パソコン等の外部機器（不図示）から映像や音楽、文書等の情報を表す各種信号が入力される。
【００２３】
符号化処理部１９は、制御部３からの信号に基づき、受信信号処理部１７にて生成された映像・音声信号及び信号入力部１８から入力された信号を符号データとして光ディスク２に記録するために、それらの信号を所定の形式に符号化する。復号処理部２０は、制御部３からの信号に応じ、光ディスク２から読み取った符号データを復号する。
【００２４】
信号出力部２１は、制御部３からの信号に基づき、受信信号処理部１７にて生成された映像・音声信号、信号入力部１８から入力された信号、及び復号処理部２０にて復号された信号をモニタ７やスピーカ、パソコン等（不図示）の外部機器に出力する。ＯＳＤ処理部２２は、制御部３からの信号に応じ、オンスクリーン画像をモニタ７に表示するためのオンスクリーン画像信号を、受信信号処理部１７にて復号された映像信号、信号入力部１８から入力された信号、及び復号処理部２０にて復号された信号に重畳する。
【００２５】
リモコン４は、テレビ放送信号の受信チャンネルの選択、光ディスク２への映像や音楽、文書等の情報の記録、光ディスク２に記録されている情報の再生等、光ディスク記録装置１の各種動作を指示するためにユーザにより操作されるものである。リモコン４は、光ディスク記録装置１の各種動作を指示するためにユーザに操作される各種操作キーを備えており、各種操作キーが操作されることにより、その操作に対応付けられた赤外線コード信号を送出する。各種操作キーには、データ消去実行指示手段をなすデータ消去キー４１と、データ消去取消指示手段をなすデータ消去取消キー４２とが含まれる。ユーザがデータ消去キー４１を押し下げると、リモコン４は、光ディスク２に記録されたデータの消去を制御部３へ指示する。ユーザがデータ消去取消キー４２を押し下げると、リモコン４は、データ消去実行指示の取消を制御部３へ指示する。
【００２６】
リモコン受信部２３は、リモコン４から送出される赤外線信号を受信して電気信号に変換し、リモコン４の操作に対応する信号を制御部３へ出力する。表示部２４は、光ディスク記録装置１本体に設けられ、リモコン４により操作された内容や光ディスク記録装置１の動作状況等を表示する。ＲＯＭ２５は、制御部３の動作プログラムを格納している。
【００２７】
操作部５は、光ディスク２への映像等の情報の記録、光ディスク２に記録されている情報の再生等、光ディスク記録装置１の各種動作を指示するためにユーザに操作される各種操作ボタンを備えており、各種操作ボタンが操作されることにより、その操作に対応付けられた信号が制御部３へ送出される。操作部５には、データ消去実行指示手段をなすデータ消去ボタン５１と、データ消去取消指示手段をなすデータ消去取消ボタン５２とが含まれる。ユーザがデータ消去ボタン５１を押し下げると、光ディスク２に記録されたデータの消去が制御部３へ指示される。ユーザがデータ消去取消ボタン５２を押し下げると、データ消去実行指示の取消が制御部３へ指示される。
【００２８】
モニタ７は、制御部３からの信号に基づいて各種メニュー画面を表示し、メニューの中にデータ消去を指示するための項目を有する。ユーザがリモコン４又は操作部５を操作し、当該項目を選択すると、光ディスク２に記録されたデータの消去が制御部３へ指示される。また、モニタ７は、データ消去の指示を取り消すための項目を備える。ユーザがリモコン４又は操作部５を操作し、当該項目を選択すると、データの消去の指示を取り消す指示が制御部３へ出される。上記のように動作して、モニタ７と、制御部３と、リモコン４と、操作部５とはデータ消去実行指示手段及びデータ消去取消指示手段を構成する。
【００２９】
接続部８には、ＲＡＭ９が接続される（接続手段）。接続部８は、例えば、データを伝送するための伝送路であるバスにより構成される。ＲＡＭ９は、半導体素子を利用した記憶装置であり、光ディスク２から制御部３が読み出したデータを格納する。データの記録及び読み出しは電気的に行われるために、アクセス速度が速い。ＲＡＭ９は、ＤＡＲＭ（Ｄｙｎａｍｉｃ  Ｒａｎｄｏｍ  Ａｃｃｅｓｓ  Ｍｅｍｏｒｙ）であっても、ＳＲＡＭ（Ｓｔａｔｉｃ  Ｒａｎｄｏｍ  Ａｃｃｅｓｓ  Ｍｅｍｏｒｙ）であってもよい。ＲＡＭ９と制御部３の間のデータ伝送は接続部８を介して行われる。なお、ＲＡＭ９は、光ディスク記録装置１の筐体内に設けられる。
【００３０】
光ディスク２への情報の記録は、受信信号処理部１７にて生成された映像・音声信号又は信号入力部１８から入力された信号を符号化処理部１９にて符号化し、制御部３からの信号に基づき、光ヘッド６がその符号データに対応する長さ及び配列で光ディスク２にピットを形成させることにより行われる。
【００３１】
光ディスク２に記録されている情報の読み出しは、光ヘッド６により光ディスク２に形成されているピットを検出し、それによりＲＦ信号処理部１５から出力されるＲＦ信号をもとに制御部３にてピットの長さや配列を判別して符号データを読み取ることによって行われる。
【００３２】
光ディスク２には、記録トラックが所定のピッチで同心円状又は渦巻状に形成されている。記録トラックはさらに放射状に等分され、最小の記録単位であるセクタに分けられる。各セクタには、各セクタを識別するアドレス値がピットにより予め記録される。上記のように動作して、光ヘッド６及び制御部３はデータ記録手段、データ読み出し手段を構成する。
【００３３】
制御部３は、符号データの記録／読み出し動作において、光ヘッド６により光ディスク２に光を照射して反射光を受光すると共に、スピンドルモータ１１を回転させることにより光ディスク２を回転させる。そして、制御部３は、光ヘッド６により検出されるピットを基に、すなわちＲＦ信号処理部１５から出力されるＲＦ信号をもとに、各セクタのアドレス値を検出してセクタを識別し、セクタ単位で符号データの記録／読み出しを行う。
【００３４】
図２（ａ）〜（ｃ）は、上記のように構成された光ディスク記録装置１でデータを記録したＤＶＤ＋ＲＷ（ＶＲモード）のデータ構造を示している。ＶＲはＶｉｄｅｏ  Ｒｅｃｏｒｄｉｎｇの略である。同図においては、ファイル管理情報退避前後のデータ構造の変化と、退避させたデータの復帰後のデータ構造とを示している。ＤＶＤ＋ＲＷは、一定回数まで何度でもデータを書き換えることが可能な光ディスクである。ＤＶＤ＋ＲＷの形式でフォーマットされた光ディスクを用いて、ユーザはＤＶＤビデオプレーヤで再生できるＤＶＤビデオを作成したり、パソコンのＤＶＤ−ＲＯＭドライブで利用できる光ディスクを作成したりできる。また、ＤＶＤ＋ＲＷはＤＶＤ＋ＲＷ対応ビデオレコーダで使用することができる。ＶＲモードによってデータが記録されたＤＶＤ＋ＲＷ（ＤＶＤ＋ＶＲ）では、動画データの編集や映像データの追記ができ、ユーザがファイナライズをする必要がない。ファイナライズとは、データの追加記録を禁止するための処理である。また、ＤＶＤ−ＲＷ等で、メディアを一般のＤＶＤプレーヤやＤＶＤ−ＲＯＭドライブで認識できるようにするための処理である。
【００３５】
光ディスク２は、ユーザデータを格納するユーザデータ領域Ｂと、ユーザデータを管理するファイル管理情報を格納するファイル管理情報領域Ａを有する。ファイル管理情報領域Ａは、論理セクタ番号（ＬＳＮ：Ｌｏｇｉｃａｌ  Ｓｅｃｔｏｒ  Ｎｕｍｂｅｒ）０×００００ｈ（１６進数）から０×３９９９ｈまでである。すなわち、ファイル管理情報領域Ａのサイズは０×４０００ｈである。ユーザデータ領域ＢはＬＳＮ０×４０００ｈから始まり、映像データといったユーザデータを格納する。
【００３６】
図２（ａ）は、ユーザが例えば映像情報を２タイトル記録した後のデータ構造を示している。ユーザが、映像情報を１タイトル記録するために光ディスク記録装置１を操作すると、制御部３からの信号に応じて、光ヘッド６はＶＴＳ（Ｖｉｄｅｏ  Ｔｉｔｌｅ  Ｓｅｔ）を光ディスク２に記録する。なお、同図は、フォーマットや全データの消去により、ユーザデータとファイル管理情報とが消去された光ディスク２に、ユーザデータ等を記録した場合のデータ構造を示している。
【００３７】
ＶＴＳは、番組情報のかたまりであり、ＶＴＳＩ（Ｖｉｄｅｏ  Ｔｉｔｌｅ  Ｓｅｔ  Ｉｎｆｏｒｍａｉｔｏｎ）と、ＶＴＳＭ＿ＶＯＢＳ（Ｖｉｄｅｏ  Ｏｂｊｅｃｔｓ  ｆｏｒ  Ｖｉｄｅｏ  Ｔｉｔｌｅ  Ｓｅｔ  Ｍｅｎｕ）と、ＶＴＳＴＴ＿ＶＯＢＳ（Ｖｉｄｅｏ  Ｏｂｊｅｃｔｓ  ｆｏｒ  Ｔｉｔｌｅｓ  ｉｎ  ａ  Ｖｉｄｅｏ  Ｔｉｔｌｅ  Ｓｅｔ）と、ＶＴＳＩ（ＢＵＰ）とからなる。ＶＴＳＩは、ＶＴＳ＿＃＃＿０．ＩＦＯという一つのファイルからなっており、ＶＴＳの制御情報である。ＶＴＳＭ＿ＶＯＢＳは、ＶＴＳ＿＃＃＿０．ＶＯＢという一つのファイルからなっており、番組固有のメニュー画面の素材情報である。メニュー画面の素材には、静止画または動画が含まれる。番組固有のメニュー画面によって、番組固有のメニュー選択ができる。ＶＴＳＴＴ＿ＶＯＢＳは、ＶＴＳ＿＃＃＿＠．ＶＯＢという複数のファイルからなっており、映像情報である。ＶＴＳＩ（ＢＵＰ）は、ＶＴＳ＿＃＃＿０．ＢＵＰという一つのファイルからなっており、ＶＴＳＩのバックアップである。ＶＴＳＭ＿ＶＯＢＳは必ずしも必要ではないが、ＶＴＳＩと、ＶＴＳＴＴ＿ＶＯＢＳと、ＶＴＳＩ（ＢＵＰ）とは、ビデオを再生する上で必要である。なお、＃＃には０１から９９までの整数、＠は１から９までの整数が入る。ＶＴＳＩはファイル管理情報を構成し、ファイル管理情報領域Ａに記録される。ＶＴＳＭ＿ＶＯＢＳ（不図示）と、ＶＴＳＴＴ＿ＶＯＢＳと、ＶＴＳＩ（ＢＵＰ）とはユーザデータを構成し、ユーザデータ領域Ｂに記録される。図２（ａ）〜（ｃ）で、ＶＴＳＩ、ＶＴＳＴＴ＿ＶＯＢＳ、ＶＴＳＩ（ＢＵＰ）の後に続く番号は、光ディスク２に記録されたタイトルの番号を示している。
【００３８】
映像情報の二度目の追加記録が行われると、新たなＶＴＳＩ＃２がファイル管理情報領域Ａに、また新たなＶＴＳＴＴ＿ＶＯＢＳ＃２とＶＴＳＩ（ＢＵＰ）＃２とがユーザデータ領域Ｂに記録される。新たなＶＴＳＩ＃２は、１度目の記録の際に書き込まれたＶＴＳＩ＃１に続けて記録される。新たなＶＴＳＴＴ＿ＶＯＢＳ＃２は、１度目の記録により書き込まれたＶＴＳＴＴ＿ＶＯＢＳ＃１に続けて、また新たなＶＴＳＩ（ＢＵＰ）＃２は、記録済みのＶＴＳＩ（ＢＵＰ）＃１に続けて記録される。なお、新たにデータをディスクに書き込む際にユーザデータ領域Ｂ及び／又はファイル管理情報領域Ａに空きがない場合、またはユーザが既に書き込まれたユーザデータの消去を指示する場合、次の新しいユーザデータ及び／又はファイル管理情報は、既に書き込まれたユーザデータ及び／又はファイル管理情報に上書きされることがある。
【００３９】
ファイル管理情報は、さらに、例えばＵＤＦ（Ｕｎｉｖｅｒｓａｌ  Ｄｉｓｋ  Ｆｏｒｍａｔ）といったファイルシステム情報と、ＶＭＧ（Ｖｉｄｅｏ  Ｍａｎａｇｅｒ）とから構成され、ファイル管理情報領域Ａに格納される。制御部３からの信号に基づいて光ヘッド６は、ＶＭＧを特定のアドレスから記録し、ファイル管理情報領域Ａの先頭とＶＭＧが格納された領域の間にファイルシステム情報を書き込む。
【００４０】
ＶＭＧは、ＶＭＧＩ（Ｖｉｄｅｏ  Ｍａｎａｇｅｒ  Ｉｎｆｏｒｍａｔｉｏｎ）と、ＶＭＧＭ＿ＶＯＢＳ（Ｖｉｄｅｏ  Ｏｂｊｅｃｔｓ  ｆｏｒ  Ｖｉｄｅｏ  Ｍａｎａｇｅｒ  Ｍｅｎｕ）と、ＶＭＧＩ（ＢＵＰ）とからなる。ＶＭＧＩは、ＶＩＤＥＯ＿ＴＳ．ＩＦＯという一つのファイルからなっており、ビデオ領域全体についての制御情報である。ＶＭＧＭ＿ＶＯＢＳは、ＶＩＤＥＯ＿ＴＳ．ＶＯＢという一つのファイルからなっており、ＤＶＤを再生した際に、最初にモニタ７に表示するメニュー画面の素材情報が入っている。メニュー画面の素材には、静止画または動画が含まれる。メニュー画面によってメニューの選択ができる。ＶＭＧＩ（ＢＵＰ）は、ＶＩＤＥＯ＿ＴＳ．ＢＵＰという一つのファイルからなっており、ＶＭＧＩのバックアップである。ＶＭＧＭ＿ＶＯＢＳは必ずしも必要ではないが、ＶＭＧＩと、ＶＭＧＩ（ＢＵＰ）とは、ビデオを再生する上で必要である。
【００４１】
図２（ｂ）は、ファイル管理情報を退避させた後のＤＶＤ＋ＲＷ（ＶＲモード）のデータ構造を示している。ユーザがデータ消去キー４１又はデータ消去ボタン５１を押し下げると、制御部３はデータ消去実行の指示を認識する。また、ユーザが、モニタ７に表示されるメニュー画面でデータ消去の項目を選択すると、制御部３はデータ消去の指示を認識する。制御部３はデータ消去の指示を認識すると、当該指示に基づいてデータを消去する前に、光ヘッド６を用いてファイル管理情報領域Ａ内の全データを読み出す。
【００４２】
制御部３の動作プログラムを格納するＲＯＭ２５には、利用可能なファイル管理情報を選び出すプログラムが組み込まれている。読み出されたデータから、利用可能なファイル管理情報が制御部３により選び出される（情報選出手段）。利用可能なファイル管理情報には、使用可能なユーザデータを管理するＶＴＳＩ、ＶＭＧやファイルシステム情報が含まれる。選び出されない情報には、上書きや消去によって使用不可能となったユーザデータに関する情報、上書きや消去によって使用不可能となったファイル管理情報、また空き領域内の情報が含まれる。このような動作のため、退避させるデータのサイズを小さくすることができ、退避させるファイル管理情報を格納する領域のサイズを小さくできる。
【００４３】
選び出されたファイル管理情報のうち、同一のユーザデータを管理する分割されたファイル管理情報は制御部３により最適化される。制御部３は、ヘッダと、最適化されたファイル管理情報とを接続部８を介してＲＡＭ９に記録し、ファイル管理情報をバックアップデータとして退避させる。加えてヘッダのバックアップを記録してもよい。ＲＡＭ９は半導体素子からなるため、データの書き込み速度は速く、データの記録時間の短縮を図ることができる。ファイル管理情報の退避後、制御部３は、光ヘッド６を用いて、ファイル管理情報を消去するためのデータをファイル管理情報領域Ａ内に記録する。例えば、制御部３は、ファイル管理情報領域Ａの全領域に０値を又は１値を記録したり、ランダムに０値及び１値を記録したりして上書きする。ユーザデータを管理するファイル管理情報は消去され、ユーザがユーザデータにアクセスすることができなくなる。このような構成のため、ユーザ以外の第三者がデータの消去を光ディスク記録装置１に指示し、ファイル管理情報が消去された場合等に、退避されたファイル管理情報を利用して、再びユーザデータにアクセスすることが可能となる。
【００４４】
図２（ｃ）は、ファイル管理情報を復帰させた後のＤＶＤ＋ＲＷ（ＶＲモード）のデータ構造を示している。ユーザがデータ消去取消キー４２又はデータ消去取消ボタン５２を押し下げると、制御部３はデータ消去実行の指示を認識する。また、ユーザが、モニタ７に表示されるメニュー画面でデータ消去の指示を取り消すための項目を選択すると、制御部３はデータ消去指示の取消の指示を認識する。制御部３はデータ消去指示の取消の指示を認識すると、当該指示に基づいて、接続部８を介してＲＡＭ９から、退避されたファイル管理情報を読み出す。ＲＡＭ９は半導体素子からなり、アクセス速度が速いため、データの読み出し時間の短縮を図ることができる。
【００４５】
ＲＡＭ９に記録されたヘッダの情報には、ファイル管理情報領域Ａのアドレスが含まれる。ヘッダの情報に基づいて、光ヘッド６は、読み出されたファイル管理情報をファイル管理情報領域Ａに書き込んで復帰させる。制御部３は、例えば、ファイル管理情報領域Ａの先頭位置からファイル管理情報を記録する。ヘッダのバックアップをＲＡＭ９に記録した場合、制御部３は、ヘッダにアクセスできない際や、ヘッダの情報を読み出すことができない際に、ヘッダのバックアップにアクセスする。このような手順により、データ消去後に、退避させたファイル管理情報をファイル管理情報領域Ａに復帰させることができ、復帰したファイル管理情報に基づいてユーザデータにアクセスし、データ消去前のデータを再び用いることが可能となる。
【００４６】
図３は、光ディスク記録装置１が、光ディスクに記録されたデータを消去する時の動作を示す。光ディスク記録装置１の電源をオンとし、ユーザが光ディスク２を光ディスク記録装置１に挿入すると、光ディスク記録装置１は待機状態となる。ユーザが操作部５に備えられたデータ消去ボタン５１またはリモコン４に備えられたデータ消去キー４１を押した場合や、モニタ７のメニュー画面にてデータ消去のための項目を選択した場合（＃１１でＹｅｓ）、制御部３は光ヘッド６を用いて、ファイル管理情報領域Ａからデータを読み出すと共に、読み出したデータから利用可能なファイル管理情報を選び出す（＃１２）。このため、必要なファイル管理情報だけ選び出すことができ、退避データのサイズを小さくすることができる。ユーザがデータの消去を制御部３へ指示せず、他の操作を行わない場合（＃１１でＮｏ）、光ディスク記録装置１は待機状態にある。
【００４７】
制御部３は、選び出したファイル管理情報の最適化を行う（＃１３）。制御部３の動作プログラムを格納するＲＯＭ２５には、データ最適化を行うプログラムが組み込まれている。ＤＶＤ＋ＲＷは書き換え型光ディスクであるため、一定回数まで書き換えが可能である。書き換えの際、既に書き込まれているファイル管理情報の上に、新たなファイル管理情報が書き込まれる場合がある。両情報のサイズが異なり、新たなファイル管理情報のサイズの方が大きい場合、差分のデータは別の位置に書き込まれることがある。また、空き領域に新たなファイル管理情報が書き込まれる場合も同様である。このような場合、同一のユーザデータに関するファイル管理情報が分割されてファイル管理情報領域Ａに格納される。制御部３は、読み出したファイル管理情報のうち、同一のユーザデータを管理する分割されたファイル管理情報を結合し、データを最適化する（データ最適化手段）。このため、データ消去後であってファイル管理情報の復帰後に、ファイル管理情報へのアクセス時間を短縮することができる。分割され、一続きでないエリアに格納されたファイル管理情報へアクセスする必要がなくなる。
【００４８】
制御部３は、最適化したファイル管理情報をヘッダと共に、接続部８を介してＲＡＭ９に書き込んで退避させる（＃１４）。ファイル管理情報退避後、ファイル管理情報領域Ａ内の全データが消去される（＃１５）。このため、ファイル管理情報領域Ａのデータを消去した後に、当該領域に格納されていたファイル管理情報を再度用いることができる。
【００４９】
データ消去後、ユーザがデータ消去実行指示の取消を行わない場合（＃１６でＮｏ）、一連の動作が終了する。ユーザがデータ消去取消ボタン５２またはデータ消去取消キー４２を押した場合や、モニタ７のメニュー画面にてデータ消去の指示を取り消すための項目を選択した場合（＃１６でＹｅｓ）、制御部３は、接続部８を介してＲＡＭ９から、退避させたファイル管理情報を読み出すと共に、当該ファイル管理情報をファイル管理情報領域Ａへ書き込んで復帰させる（＃１７）。ファイル管理情報の復帰後、ＲＡＭ９上のファイル管理情報は制御部３により消去され、ＲＡＭ９のデータ退避以外の動作に支障がないようにされる（＃１８）。ファイル管理情報の復帰後、例えば、新たに光ディスク２にユーザデータが記録されることにより、ファイル管理情報が追記されたり、更新されたりした場合、ＲＡＭ９上に退避されたファイル管理情報は消去される。また、光ディスク２が光ディスク記録装置１から取り出され、再び挿入された場合、制御部３は、ＲＡＭ９に退避されたファイル管理情報を消去する。また、ＲＡＭ９への電力供給が遮断された場合、ＲＡＭ９は揮発性メモリであるため、退避されたファイル管理情報は消失する。その後、一連の動作が終了する。このような手順により、ユーザは、データ消去前のファイル管理情報を利用でき、当該ファイル管理情報により管理されるユーザデータを再び利用することができる。
【００５０】
次に、第２の実施形態による光ディスク記録装置について図４乃至図６を参照して説明する。第２の実施形態は、ファイル管理情報を退避させる記憶装置が、ＨＤＤ（Ｈａｒｄ  Ｄｉｓｋ  Ｄｒｉｖｅ）である点で第１の実施形態と異なる。ＨＤＤは外部記憶装置を構成する。
【００５１】
図４は光ディスク記録装置の構成を示すブロック図である。接続部８を介して光ディスク記録装置１に接続される記憶装置が、ＲＡＭ９ではなくＨＤＤ１０である点で図１と異なる。ＨＤＤ１０の構造は、ハードディスクを構成する磁気ディスクが重なり合わさったものである。磁気ディスクはモータで高速に回転され、磁気ヘッドにより磁気ディスクからデータが記録され、また読み出される。ＨＤＤは、ＲＡＭと比べて安価であり、記憶容量が大きい。ＨＤＤ１０は、光ディスク記録装置１の筐体内に搭載されていても、光ディスク記録装置１に外部から接続されていてもよい。接続部８は、制御部３とＨＤＤ１０とを電気的に結ぶコネクタである。接続部８は、ＩＤＥ（Ｉｎｔｅｇｒａｔｅｄ  Ｄｒｉｖｅ  Ｅｌｅｃｔｒｏｎｉｃｓ）、ＥＩＤＥ（Ｅｎｈａｎｃｅｄ  Ｉｎｔｅｇｒａｔｅｄ  Ｄｒｉｖｅ  Ｅｌｅｃｔｒｏｎｉｃｓ）、ＡＴＡ（ＡＴ  Ａｔｔａｃｈｍｅｎｔ）又はＡＴＡの後継規格、Ｕｌｔｒａ  ＡＴＡ（Ｕｌｔｒａ  ＡＴ  Ａｔｔａｃｈｍｅｎｔ）、ＳＣＳＩ（Ｓｍａｌｌ  Ｃｏｍｐｕｔｅｒ  Ｓｙｓｔｅｍ  Ｉｎｔｅｒｆａｃｅ）又はＳＣＳＩの後継規格のうち、何れの規格を満たしたコネクタであってもよい。
【００５２】
図５（ａ）は、ユーザが例えば映像情報を２タイトル記録した後のＤＶＤ＋ＲＷ（ＶＲモード）のデータ構造を示している。ファイル管理情報は、ＵＤＦといったファイルシステム情報と、光ディスク全体の制御情報であるＶＭＧと、映像データのタイトルごとの制御情報であるＶＴＳＩ＃１、＃２とから構成され、ファイル管理情報領域Ａに格納される。ユーザデータ領域Ｂには、映像情報であるＶＴＳＴＴ＿ＶＯＢＳ＃１、＃２と、ＶＴＳＩ＃１、＃２のバックアップであるＶＴＳＩ（ＢＵＰ）＃１、＃２とからなるユーザデータが記録される。
【００５３】
図５（ｂ）は、ファイル管理情報を退避させた後の光ディスク２のデータ構造を示している。制御部３は、ユーザからデータ消去の指示を受けると、データを消去する前に、ファイル管理情報領域Ａからデータを読み出す。読み出されたデータから、利用可能なファイル管理情報が制御部３により選び出される。このような動作のため、ＨＤＤ１０に退避させるデータのサイズを小さくすることができ、ＨＤＤ１０のハードディスクにおいて、退避されたファイル管理情報が占有する領域のサイズを小さくできる。
【００５４】
選び出されたファイル管理情報のうち、同一のユーザデータを管理する分割されたファイル管理情報は制御部３により最適化される。制御部３は、ＨＤＤ１０のハードディスクに、ヘッダと、最適化されたファイル管理情報を記録して、ファイル管理情報をバックアップデータとして退避させる。加えて、ヘッダにアクセスできない場合に、退避されたファイル管理情報にアクセスするため、ヘッダのバックアップを記録してもよい。ファイル管理情報の退避後、制御部３は、ファイル管理情報領域Ａ内にファイル管理情報を消去するためのデータを記録し、ファイル管理情報領域Ａ内のデータを全て消去する。このような構成のため、ユーザ以外の第三者がデータの消去を光ディスク記録装置１に指示し、データが消去された場合等に、ファイル管理情報領域Ａのデータが消去されても、ファイル管理情報を退避させているため再度当該データを利用することが可能である。
【００５５】
図５（ｃ）は、ファイル管理情報を復帰させた後のＤＶＤ＋ＲＷ（ＶＲモード）のデータ構造を示している。ＨＤＤ１０のハードディスクに記録されたヘッダの情報には、ファイル管理情報領域Ａのアドレスが含まれる。制御部３は、退避されたファイル管理情報をＨＤＤ１０のハードディスクから読み出すと共に、ヘッダの情報に基づいて、読み出されたファイル管理情報をファイル管理情報領域Ａに書き込んで復帰させる。制御部３は、例えば、ファイル管理情報領域Ａの先頭位置からファイル管理情報を記録する。このため、データ消去後に、復帰したファイル管理情報に基づいて、データ消去前のユーザデータを再度利用することできる。
【００５６】
図６は、光ディスク記録装置１が、光ディスクに記録されたデータを消去する時の動作を示す。光ディスク記録装置１の電源をオンとし、ユーザが光ディスク２を光ディスク記録装置１に挿入すると、光ディスク記録装置１は待機状態となる。ユーザが制御部３にデータ消去の指示を出した場合（＃２１でＹｅｓ）、制御部３は光ヘッド６を用いて、ファイル管理情報領域Ａからデータを読み出すと共に、読み出したデータから利用可能なファイル管理情報を選び出す（＃２２）。このため、不要なデータまで退避させることなく、必要なデータだけを抜き出して退避させることができ、退避データのサイズを小さくすることができる。ユーザがデータの消去を制御部３へ指示せず、他の操作を行わない場合（＃２１でＮｏ）、光ディスク記録装置１は待機状態にある。
【００５７】
制御部３は、選び出したファイル管理情報の最適化を行う（＃２３）。この動作により、同じユーザデータを管理するファイル管理情報であって、分割されて複数の領域に格納されていたファイル管理情報が結合される。このため、ファイル管理情報の復帰後に、結合されたファイル管理情報へアクセスすることができ、アクセス時間の短縮を図ることができる。
【００５８】
制御部３は、最適化したファイル管理情報を、ヘッダと共に、接続部８を介してＨＤＤ１０のハードディスクに書き込んで退避させる（＃２４）。ファイル管理情報退避後、ファイル管理情報領域Ａ内の全データが消去される（＃２５）。このような手順のため、データを消去する処理をした後に、当該領域に格納されていたファイル管理情報を再度用いることができる。
【００５９】
ファイル管理情報の消去後、ユーザがデータ消去実行指示の取消を行わない場合（＃２６でＮｏ）、一連の動作が終了する。ユーザが、データ消去指示の取消を制御部３に指示した場合（＃２６でＹｅｓ）、制御部３は、接続部８を介してＨＤＤ１０のハードディスクから、退避させたファイル管理情報を読み出す。光ヘッド６は、制御部３からの信号に基づいて、当該ファイル管理情報をファイル管理情報領域Ａへ書き込んで復帰させる（＃２７）。ファイル管理情報の復帰後、ＨＤＤ１０は、制御部３からの信号に基づいて、ハードディスク上のファイル管理情報を消去する（＃２８）。ファイル管理情報の復帰後、例えば、新たに光ディスク２にユーザデータが記録されることにより、ファイル管理情報が追記されたり、更新されたりした場合、ハードディスク上に退避されたファイル管理情報はＨＤＤ１０により消去される。また、光ディスク２が光ディスク記録装置１から取り出され、再び挿入された場合、ＨＤＤ１０は、ハードディスク上のファイル管理情報を消去する。その後、一連の動作が終了する。このような手順により、ユーザは、データ消去前のファイル管理情報を再び利用でき、当該ファイル管理情報により管理されるユーザデータに再度アクセスすることが可能となる。
【００６０】
なお、本発明は、上記各種実施形態の構成に限られず、発明の趣旨を変更しない範囲で種々の変形が可能である。例えば、光ディスク２はＤＶＤ＋ＲＷに限定されず、ＣＤ−ＲＷ、ＤＶＤ−ＲＡＭやＤＶＤ−ＲＷであっても構わない。光ディスク記録装置１はＤＶＤレコーダに限定されず、光パソコンなどの電子機器に搭載されるＤＶＤ＋ＲＷドライブや、ＤＶＤ−ＲＷドライブ、ＤＶＤ−ＲＡＭドライブやＣＤ−ＲＷドライブであっても構わない。光ディスク２に書き込まれるユーザデータは映像情報に限定されず、音楽、音声、文書などのデータであってもよい。また、ファイル管理情報の退避後であって、ハードディスク又はＲＡＭに退避されたファイル管理情報の復帰前に、ユーザが光ディスク２を取り出すために光ディスク記録装置１を操作した場合、制御部３が光ディスク２に情報を記録し、光ディスク２の再挿入後に、当該情報に基づいて、制御部３がハードディスク又はＲＡＭからファイル管理情報を読み出して光ディスク２に復帰させてもよい。
【図面の簡単な説明】
【００６１】
【図１】本発明の第１の実施形態による光ディスク記録装置の構成を示すブロック図。
【図２】上記光ディスク記録装置に用いられる光ディスク（ＤＶＤ＋ＲＷ）のデータ構造を示す図。
【図３】上記光ディスク記録装置が光ディスクに記録されたデータを消去する時の当該装置の動作を示すフローチャート。
【図４】本発明の第２の実施形態による光ディスク記録装置の構成を示すブロック図。
【図５】上記光ディスク記録装置に用いられる光ディスク（ＤＶＤ＋ＲＷ）のデータ構造を示す図。
【図６】上記光ディスク記録装置が光ディスクに記録されたデータを消去する時の当該装置の動作を示すフローチャート。
【符号の説明】
【００６２】
１  光ディスク記録装置
２  光ディスク
３  制御部
４  リモコン
５  操作部
６  光ヘッド
７  モニタ
８  接続部
９  ＲＡＭ
１０  ＨＤＤ
４１  データ消去キー
４２  データ消去取消キー
５１  データ消去ボタン
５２  データ消去取消ボタン
Ａ  ファイル管理情報領域
Ｂ  ユーザデータ領域
【図１】
2007080342.tif 000003
【図２】
2007080342.tif 000004
【図３】
2007080342.tif 000005
【図４】
2007080342.tif 000006
【図５】
2007080342.tif 000007
【図６】
2007080342.tif 000008